(57)【要約】【課題】  パーマをかける際に、施術時間を短縮可能で施術後の毛髪のダメージを軽減可能でありつつ、毛髪に対する施術を行うことが容易で加熱、磁場印加、振動という異なる物理的な処理を効率的でしかも柔軟に実行可能なヘアーアイロンを提供する。【解決手段】  毛髪を挟む一対のアーム部２ａ，２ｂと、この一対のアーム部に毛髪を加熱するために設けられるヒータ部（２０ａ，２０ｂ，４ａ，４ｂ）と、一対のアーム部に毛髪に磁場を印加するために設けられるマグネット部（１６，７）と、このマグネット部を振動させるために一対のアーム部内に設けられる振動モータ９とを備えるヘアーアイロン１であって、ヒータ部とマグネット１６は断熱部材（７，２１）によって熱的に隔離されると共に、一対のアーム部の毛髪を挟む面上に並列に配置されるものである。【選択図】  図２
2010240170.tif 000002
【特許請求の範囲】
【請求項１】
毛髪を挟む一対のアーム部と、この一対のアーム部に前記毛髪を加熱するために設けられるヒータ部と、前記一対のアーム部に前記毛髪に磁場を印加するために設けられるマグネット部と、このマグネット部を振動させるために前記一対のアーム部内に設けられる振動子とを備えるヘアーアイロンであって、
前記ヒータ部と前記マグネットは断熱部材によって熱的に隔離されると共に、前記一対のアーム部の前記毛髪を挟む面上に並列に配置されることを特徴とするヘアーアイロン。
【請求項２】
前記マグネット部は、マグネットと、このマグネットの前記アーム部側表面を被覆する磁場透過プレートとを有することを特徴とする請求項１記載のヘアーアイロン。
【請求項３】
前記ヒータ部は、ヒータと、このヒータの前記アーム部側表面を被覆する熱伝導プレートとを有することを特徴とする請求項１又は請求項２に記載のヘアーアイロン。
【請求項４】
前記マグネット部は、前記振動子から延設される振動伝達部材に接続されることを特徴とする請求項１乃至請求項３のいずれか１項に記載のヘアーアイロン。
【請求項５】
前記ヒータ部は、前記一対のアーム部の前記毛髪を挟む面上で、前記マグネット部を両側から挟むように並列に配置されることを特徴とする請求項１乃至請求項４のいずれか１項に記載のヘアーアイロン。
【請求項６】
前記一対のアーム部のうち、一のアーム部の前記ヒータ部及び／又は前記マグネット部の前記毛髪を挟む面からの高さを変えると同時に、他のアーム部の前記ヒータ部及び／又は前記マグネット部の前記毛髪を挟む面からの高さを変えることで、前記一のアーム部と前記他のアーム部が前記毛髪を挟んだ際に嵌合するように形成されることを特徴とする請求項１乃至請求項５のいずれか１項に記載のヘアーアイロン。
【請求項７】
前記マグネット部は、振動方向に対して垂直な側面に振動緩衝部を備えることを特徴とする請求項１乃至請求項６のいずれか１項に記載のヘアーアイロン。
【発明の詳細な説明】
【技術分野】
【０００１】
本発明は、毛髪にストレートパーマ又はウェーブパーマをかけるためのヘアーアイロンに関し、特に、施術時間を短縮可能で施術後の毛髪の傷みを軽減可能なヘアーアイロンに関する。
【背景技術】
【０００２】
毛髪に対するポピュラーな施術としては、カラーリングの他にウエーブパーマをかけたり、あるいは逆に生来のくせ毛を直毛にするストレートパーマをかけるものがある。
人間の毛髪は、ケラチンという硬質たんぱく質で形成されており、その断面は、３重構造になっている。中心部は、メデュラ（毛髄質）で、その外側にはコルテックス（毛皮質）でこの部分が毛髪の８５〜９０％を占め、さらに外側にはキューティクル（毛表皮）と言われる部分がうろこ状に髪表面を覆っており、ツヤや手触りに大きな影響を与えている。
このような毛髪に対して施されるパーマ（パーマネントウェーブ）は、水に濡らしても半永久的に形の崩れないウェーブという意味で生まれた用語であり、化学的な作用を持つ薬剤を使用し毛髪内でシスチン結合の還元・酸化など化学反応を意図的に起こす事で毛髪の構造・形状を変化させた上でそれらを固定する（出典：Wikipedia）ものである。
シスチン結合（ジスルフィド結合）を還元して結合を切るために用いられるのは、第１液と呼ばれる強アルカリのチオグリコール酸を主成分とする軟化剤であり、これを用いて軟化処理した後に、第１液を湯で洗い流し、ドライヤーで毛髪についた水分を蒸発させて乾燥させる。その後、ヘアーアイロンを用いて毛髪を挟みながらウェーブや縮れを解消するように処理する。
次に、切断されたシスチン結合を再結合させるために用いられるのは、第２液と呼ばれる強酸の臭酸ナトリウムを主成分とする薬剤であり、これを用いて毛髪内でシスチン結合させつつ、毛髪の形状を固定する。
その後、第２液を湯で洗い流し、ドライヤーで毛髪を乾燥させる。
以上がストレートパーマあるいはウェーブパーマに関する施術の一般的な手順、内容である。なお、上述の例では、第１液を用いて毛髪の軟化処理を行った後に、第１液を湯で洗い流し、また、第２液を用いてシスチン結合を促進させて毛髪形状を固定した後に、第２液を湯で洗い流し、それらの後にヘアーアイロンを用いる旨の説明をした。
このようなパーマの施術は、一般的に毛髪を傷め、カラーリングを同時に行うような場合では特に毛髪が受けるダメージは大きなものがあった。
そこで、従来、薬剤に関する改良をはじめ、毛髪に当てられるヘアーアイロンに関する発明も多数なされてきた。
【０００３】
たとえば、特許文献１には、「毛髪形状の処理装置」という名称で、また、特許文献２には、「ヘア形状の処理方法とその処理装置」という名称で、ヘアアイロン（処理装置）のアームあるいは装置本体に振動手段を配設した発明が開示されている。
この特許文献１及び特許文献２に開示された発明では、このような振動手段を設けることで、軟化剤を塗布あるいはスプレーして軟化処理した後の毛髪に対し、毛髪の形状等の特性に対応した振動を与えることにより、毛髪に与えるダメージをできるだけ少なくするだけでなく、毛髪の弾力と風合いを維持できるとともに、長期間にわたって毛髪形状を保持できるとしている。
【０００４】
また、特許文献３には、「超音波パーマ装置」という名称で、「長尺の押え部材と振動部材を蝶番により回動自在に装着し、該振動部材の前記押え部材との接触面に平らな振動部を装着し、該振動部と接触して超音波振動子を前記振動部材に装着し、前記超音波振動子に発振装置から発振出力を供給し、前記振動部材の振動部と前記押え部材の押え部との間に髪を挟んで超音波振動させる」発明が開示されている。
この特許文献３に開示された発明は、加熱ではなく、超音波振動を髪に与えることで髪を傷めることもなく、また、パーマネント液を毛髪にしみ込ませて使用する際には、超音波振動によりパーマネント液が髪にしみ込みやすくなり、髪を短時間でカーリングすることができるという効果を発揮するとしている。
【０００５】
さらに、特許文献４には、「ヘアーアイロン」という名称で、一対の髪挟持アームに発熱体とそれぞれＳ極を対峙させた一対のマグネットが配設された発明が開示されている。
この特許文献４に開示された発明では、「磁極の電子が右回転するマグネットのＳ極から還元作用を促す力として発生する」とし、また、「このエネルギは第１液の還元作用を促進し、しかも毛髪の表層部を閉じる働きもする」とし、さらには、「このエネルギにより第１液の水のクラスタが小さくなる。このように水のクラスタが小さくなれば、第１液の毛髪への浸透性が高まる」としている。その結果、毛髪が損傷しやすい施術時間を短くすることができ、施術後の仕上がりがきれいになり、毛髪も傷みにくくなるのである。
【先行技術文献】
【特許文献】
【０００６】
【特許文献１】特許第４０６９１５７号公報
【特許文献２】特開２００１−２９９４３２号公報
【特許文献３】特開２００１−３７５２６号公報
【特許文献４】特開２０００−１６６６３４号公報
【発明の概要】
【発明が解決しようとする課題】
【０００７】
しかしながら、特許文献１あるいは特許文献２に記載された従来の技術では、振動手段を配設して熱と振動を加えることである程度薬剤の浸透を図ることができ、また、振動手段の採用によって加熱時間を短縮することもできるため、毛髪のダメージを軽減できるものの、まだ不足しており、毛髪におけるシスチン結合（ジスルフィド結合）の切断と再結合という処理においては、そのダメージの改善には限界があるという課題があった。
【０００８】
また、特許文献３に記載された従来の技術においても、超音波を採用してパーマネント液を毛髪にしみ込ませることで熱を使うことがないので、毛髪には優しい処理となるものの、その分毛髪へのパーマネント液の浸透が弱く、結局加熱を必要とし、毛髪へのダメージの低減は限定的である可能性があるという課題があった。
【０００９】
さらに、特許文献４に記載された従来の技術においては、高周波振動子を一対の髪挟持アームの両方又はいずれか１本に設けて振動を生じさせ、さらにマグネットによって磁場をかけて施術可能であるものの、マグネットは高熱を発生するヒータの熱伝導方向に垂直に重ねて配置されるものであり、磁場印加の方向と熱伝導の方向が一致するものである。これでは、熱に弱いマグネットの性質、すなわち例えばネオジウムでは約３１０℃であるキュリー点に到達すると磁力を失ってしまうマグネットの性質には望ましくない配置となってしまうという課題があった。また、このような構造では、マグネットの磁力線はヒータ部分を透過して毛髪に到達することとなり、ヒータに対して誘導電流を発生させて磁場を弱めるように働いてしまうという課題もあった。さらに、ヒータとマグネットが熱伝導の方向及び磁場印加の方向において重ねて配置されているため、このヘアーアイロンを使用する限りにおいては、熱と磁場が毛髪に同時に印加されることになり、熱のみあるいは磁場のみを印加できず、いずれかを重点的に印加するような施術を実施することができないという課題があった。
【００１０】
本発明はかかる従来の事情に対処してなされたものであり、ストレートパーマ又はウェーブパーマをかける際に、施術時間を短縮可能で施術後の毛髪のダメージを軽減可能でありつつ、毛髪に対する施術を行うことが容易で加熱、磁場印加、振動という異なる物理的な処理を効率的でしかも柔軟に実行可能なヘアーアイロンを提供することを目的とする。
【課題を解決するための手段】
【００１１】
上記目的を達成するため、請求項１記載の発明であるヘアーアイロンは、毛髪を挟む一対のアーム部と、この一対のアーム部に前記毛髪を加熱するために設けられるヒータ部と、前記一対のアーム部に前記毛髪に磁場を印加するために設けられるマグネット部と、このマグネット部を振動させるために前記一対のアーム部内に設けられる振動子とを備えるヘアーアイロンであって、前記ヒータ部と前記マグネットは断熱部材によって熱的に隔離されると共に、前記一対のアーム部の前記毛髪を挟む面上に並列に配置されることを特徴とするものである。
上記構成のヘアーアイロンにおいては、振動子がマグネット部を振動させて、磁力線の空間的及び時間的な変動を生じさせるように作用する。また、ヒータ部と共に、ヘアーアイロンのアーム部の毛髪を挟む面上に並列に配置されることで、磁場と振動の印加に加えて加熱を行えるように作用し、磁場印加と加熱を別個独立に行えることでそれらの作用も独立させることができるという作用を有する。さらに、断熱部材は、マグネット部とヒータ部を熱的に隔離するように作用する。
【００１２】
また、請求項２に記載の発明であるヘアーアイロンは、請求項１に記載の発明において、前記マグネット部は、マグネットと、このマグネットの前記アーム部側表面を被覆する磁場透過プレートとを有することを特徴とするものである。
上記構成のヘアーアイロンにおいては、請求項１に記載の発明の作用と同様の作用を有する他、マグネットを被覆する磁場透過プレートが、施術のための薬剤などからマグネットを保護するように作用する。
【００１３】
また、請求項３に記載の発明であるヘアーアイロンは、請求項１又は請求項２に記載の発明において、前記ヒータ部は、ヒータと、このヒータの前記アーム部側表面を被覆する熱伝導プレートとを有することを特徴とするものである。
上記構成のヘアーアイロンにおいては、請求項１又は請求項２に記載の発明の作用の他、ヒータを被覆する熱伝導プレートが、施術のための薬剤などからヒータを保護するように作用する。
【００１４】
請求項４に記載の発明であるヘアーアイロンは、請求項１乃至請求項３のいずれか１項に記載の発明において、前記マグネット部は、前記振動子から延設される振動伝達部材に接続されることを特徴とするものである。
上記構成のヘアーアイロンにおいては、請求項１乃至請求項３のいずれか１項に記載の発明の作用に加えて、振動子から振動伝達部材を接続することで、振動子をマグネット部に対して直接設置する必要がなく、振動子のレイアウトに裕度を持たせる作用を有する。
【００１５】
請求項５に記載の発明であるヘアーアイロンは、請求項１乃至請求項４のいずれか１項に記載の発明において、前記ヒータ部は、前記一対のアーム部の前記毛髪を挟む面上で、前記マグネット部を両側から挟むように並列に配置されることを特徴とするものである。
上記構成のヘアーアイロンにおいては、請求項１乃至請求項４のいずれか１項に記載の発明の作用と同様の作用を有する。
【００１６】
請求項６に記載の発明であるヘアーアイロンは、請求項１乃至請求項５のいずれか１項に記載の発明において、前記一対のアーム部のうち、一のアーム部の前記ヒータ部及び／又は前記マグネット部の前記毛髪を挟む面からの高さを変えると同時に、他のアーム部の前記ヒータ部及び／又は前記マグネット部の前記毛髪を挟む面からの高さを変えることで、前記一のアーム部と前記他のアーム部が前記毛髪を挟んだ際に嵌合するように形成されることを特徴とするものである。
上記構成のヘアーアイロンにおいては、請求項１乃至請求項５のいずれか１項に記載の発明の作用に加えて、一対のアーム部の毛髪の挟みをより強固にするように作用する。
【００１７】
請求項７に記載の発明であるヘアーアイロンは、請求項１乃至請求項６のいずれか１項に記載の発明において、前記マグネット部は、振動方向に対して垂直な側面に振動緩衝部を備えることを特徴とするものである。
上記構成のヘアーアイロンにおいては、請求項１乃至請求項６のいずれか１項に記載の発明の作用に加えて、振動緩衝部がマグネット部のアーム部に対して水平方向の振動を抑制するように作用する。これによってマグネット部の振動方向を制御して、アーム部に挟まれた毛髪に対して垂直に磁場印加をするように作用する。
【発明の効果】
【００１８】
本発明の請求項１乃至請求項７に記載のヘアーアイロンでは、ストレートパーマ又はウェーブパーマをかける際に、熱と磁場と振動の相乗効果によって、施術時間を短縮可能であり、また、施術後の毛髪のダメージを軽減することも可能である。さらには、熱以外に磁場と振動を印加することができるので、加熱温度の低減も可能である。また、マグネット部とヒータ部の並列配置によって、加熱と磁場・振動印加を毛髪に対して独立に実施可能であり、毛髪に対する施術を行うことが容易かつ効果的に実施することができる。
【００１９】
特に本発明の請求項４に記載のヘアーアイロンは、振動子から振動伝達部材を介してマグネット部に接続されるので、振動子をマグネット部から離して設置することが可能であり、マグネット部からの磁場の影響やヒータ部からの熱の影響を受けないようにすることができる。
【００２０】
また、特に本発明の請求項６に記載のヘアーアイロンは、毛髪を強固に挟持することができ、施術する際に毛髪の支持固定が容易であると同時に施術の効果をよりよく発揮させることができる。
【００２１】
さらに、特に本発明の請求項７に記載のヘアーアイロンは、振動緩衝部によってマグネット部の水平方向の振動を抑制しながら、アーム部に挟まれた毛髪に対して効率的に垂直な磁場を印加することができる。
【図面の簡単な説明】
【００２２】
【図１】本発明の実施例１に係るヘアーアイロンの外形図である。
【図２】実施例１のヘアーアイロンに係るアーム部の拡大図である。
【図３】図２に符号Ａ−Ａ線で示す部分の断面図である。
【図４】（ａ）は本発明の実施例２に係るヘアーアイロンのアーム部の断面図であり、（ｂ）は同じく実施例３に係るヘアーアイロンのアーム部の断面図である。
【図５】本発明の実施例４に係るヘアーアイロンの一対のアーム部の断面図である。
【図６】本発明の実施例５に係るヘアーアイロンのアーム部の断面図である。
【発明を実施するための形態】
【００２３】
以下に、本発明に係るヘアーアイロンの実施の形態を図１乃至図６を参照しながら説明する。
【実施例１】
【００２４】
図１は、本発明の実施例１に係るヘアーアイロンの外形図である。図２は、実施例１のヘアーアイロンに係るアーム部の拡大図であり、図３は、図２に符号Ａ−Ａ線で示す部分の断面図である。
図１において、実施例１に係るヘアーアイロン１は、一対のアーム部２ａ，２ｂに毛髪を加熱するための熱伝導プレート４ａ，４ｂを備えており、回動軸部３を介して所定の角度回動可能に構成されるものである。
ストレートパーマやウェーブパーマ等の施術を行う際に毛髪を挟んで加熱するが、その際にはストッパ５によって一対のアーム部２ａ，２ｂ間の距離を一定に維持できるように工夫されている。
このヘアーアイロン１は、後述するように振動モータ及びヒータという電力を必要とする部材を備えており、これらに電力を供給するための電源コード６が設けられている。
【００２５】
次に、図２及び図３を参照しながら、ヘアーアイロン１の毛髪を挟むためのアーム部２ａ，２ｂの面における構成と、その内部構造について説明する。
図２において、アーム部２ｂの表面には、固定プレート８を介して磁場透過プレート７とその両側に一対の熱伝導プレート４ａ，４ｂが配置されている。磁場透過プレート７の下方には図３に示されるように板状のマグネット１６が磁場透過プレート７に被覆されるように設けられており、熱伝導プレート４ａ，４ｂの下方には一対のヒータ２０ａ，２０ｂが同じく熱伝導プレート４ａ，４ｂに被覆されるように設けられている。本願では、この磁場透過プレート７とマグネット１６を併せてマグネット部と呼び、熱伝導プレート４ａ，４ｂとヒータ２０ａ，２０ｂを併せてヒータ部と呼んでいる。
磁場透過プレート７は、下方に設けられたマグネット１６からの磁力線を良好に透過すべく磁界をシールドしないような材料で形成されることが望ましい。
また、磁場透過プレート７及び熱伝導プレート４ａ，４ｂは、ヒータ２０ａ，２０ｂから発生される熱に対して強度を維持すべく耐熱性のある材料で形成されることが望ましく、さらに、磁場透過プレート７及び熱伝導プレート４ａ，４ｂの表面には、施術の途中で前述の第１液や第２液に触れる可能性もあり、これらの薬剤に対する耐性を備えているか、あるいは、これらのような薬剤の接触に耐えられる被膜などによって保護されることが望ましい。
磁場透過プレート７の下方に備えられるマグネット１６には、図２及び図３に示されるように振動伝達プレート１２が接続されており、その振動伝達プレート１２は、振動モータ９の回転軸１１に設けられて振動を発生する分銅１０に接触するように設けられている。
【００２６】
本実施例では、この振動伝達プレート１２は接着剤などによってマグネット１６に接続されているが、振動伝達プレート１２からマグネット１６に十分な振動が伝達されるのであれば、必ずしも接続する必要はなく、単に接触させるようにしてもよい。
また、本実施例では、振動子としては、振動モータ９の回転軸１１に分銅１０を偏心させた状態で接続して、その偏心した分銅１０の回転によって振動を発生させる振動モータ９を採用したが、振動子は特にこのような振動モータ９に限定するものではなく、たとえば円盤型の振動モータをマグネット１６の下面に接触あるいは接続するようにして設置して、振動伝達プレート１２を介さず直接マグネット１６を振動させるようにしてもよい。この円盤型の振動モータは円形の上下面を備えた薄い円筒状をしており、その円形の上下面が直接振動するため、これを採用した際には振動伝達プレート１２はもちろん、振動モータ９から延びる回転軸１１及び分銅１０も不要である。また、振動子の種類も電動モータや圧電モータあるいは超音波モータなど様々な種類がある。従って、円盤型の振動モータが電歪の超音波振動子を用いた超音波モータあるいは圧電振動子を用いた圧電モータであれば磁力は不要であり、マグネット１６との相互作用を避けるために磁気シールドを考慮する必要がないが、電動モータによっている場合には、その動作も磁力によっているため、マグネット１６に近接させる場合には、磁気シールドを考慮する必要がある。
なお、振動モータ９は一般的には熱に弱いため、ヒータ２０ａ，２０ｂからの熱が伝達されないように熱的に隔離されることが望ましい。具体的には図３に示されるようにマグネット１６に接触又は接続される振動伝達プレート１２が存在する場合には、熱伝導する可能性があるため、この振動伝達プレート１２も断熱材料から形成される磁場透過プレート７や支持具２１の中に収容するとよい。さらに、後で説明する図３において振動伝達プレート１２や振動モータ９、分銅１０、回転軸１１は周囲に何ら設けていないように見えるが、これらの構造物も磁場透過プレート７や支持具２１とは別個に設けられた断熱材料で被覆することで、ヒータ２０ａ，２０ｂからの熱を遮断している。
図２中破線で示されるのは、アーム部２ａ，２ｂの内部に配置されることを意味しているが、振動モータ９に電力を供給するためのモータ電源コード１３及び熱伝導プレート４ａ，４ｂの下方に設けられたヒータ２０ａ，２０ｂに電力を供給するためのヒータ電源コード１４ａ，１４ｂが設けられている。
【００２７】
図３は実施例１に係るヘアーアイロン１のアーム部２ｂの内部構造を示しているが、すでに図２を参照しながら説明した構成要素には同一の符号を付している。
前述のとおり、アーム部２ｂの毛髪を挟む面上には、磁場透過プレート７とこれを挟んで並行に熱伝導プレート４ａ，４ｂが配置されている。また、それぞれの下方には、マグネット１６とヒータ２０ａ，２０ｂが設置されており、マグネット１６の下方にはさらに振動モータ９の分銅１０で発生する振動を伝達するための振動伝達プレート１２が接触あるいは接続されている。
また、マグネット１６の周囲は、アーム部２ｂの毛髪を挟む面と垂直の方向（図３の正面視鉛直方向）に振動を許容するために空隙１８，１９を形成しつつ、平行な方向（図３の正面視水平方向）には振動を抑制するために左右に振動緩衝部１７を備えている。また、磁場透過プレート７の下方にはマグネット１６、振動緩衝部１７及び振動伝達プレート１２を断熱に保持すべく支持具２１が設けられている。磁場透過プレート７及び支持具２１は、特にヒータ２０ａ，２０ｂで発生する熱を伝導する熱伝導プレート４ａ，４ｂと接触するため、断熱性の高い材料で構成されることが望ましい。
【００２８】
マグネット１６は、近年強磁性体として強力な磁力を発生しうるネオジウムなどから構成されることが望ましいが、これらの強磁性体についてはキュリー点（温度）と呼ばれる温度に達すると磁化の消失という現象が生じて常磁性体となってしまう。このキュリー点は、鉄では７７０℃程度であるものの、ネオジウムを用いたマグネットでは３１０〜３５０℃程度と低いため、ネオジウムを用いたマグネット１６であれば、特に断熱に留意すべきであり、磁場透過プレート７や支持具２１の断熱性は高いことが望まれるのである。
この他、マグネット１６としては、サマコバ（サマリウム、コバルト）磁石やアルニコ（アルミニウム、ニッケル、コバルト）磁石などの磁束密度が高く、キュリー温度も７５０〜８５０℃程度と高く本願発明においては望ましい。なお、マグネット１６に要求される磁束密度は１Ｔ（テスラ、１０，０００ガウス）以上であることが望ましく、特には現存のマグネットでほぼ最高の磁束密度と考えられる１．５Ｔのものであればなお望ましい。この程度の磁束密度を備えていないと後述するマグネットの作用や効果を発揮できないためであり、この程度の磁束密度を発揮可能なのは、前述のネオジウム磁石、サマコバ磁石、アルニコ磁石ということになる。
なお、本実施の形態におけるマグネット１６は、板状の面の表裏でそれぞれＮ極、Ｓ極を形成するように構成される。また、一対のアーム部２ａ,２ｂの毛髪を挟む面側において、Ｓ極あるいはＮ極同士が対向するように設けられることが望ましい。以下の実施例でも同様である。
また、アーム部２ａ，２ｂは一般的には合成樹脂素材で構成されることが望ましいので、固定プレート８なども含めて断熱性の高い素材であることが望ましい。
また、熱伝導プレート４ａ，４ｂはヒータ２０ａ，２０ｂで発生する熱を伝達して毛髪を加熱するものであるため、熱伝導性に優れた材料で形成されることが望ましいのは言うまでもない。
【００２９】
以上、実施例１に係るヘアーアイロン１の構成について説明したが、このような構成のヘアーアイロン１においては、振動モータ９の分銅１０において発生する振動が振動伝達プレート１２を介してマグネット１６に伝わり、マグネット１６が振動することで磁場透過プレート７にも振動が伝わる。従って、マグネット１６の振動による磁力の変動が空間における磁力の平均化を促すように作用すると同時に、磁場透過プレート７による振動がアーム部２ａ，２ｂによって挟まれた毛髪にも振動を与えるように作用する。
従って、特許文献１乃至４に開示される技術においても主張されていたように振動によって第１液や第２液のような薬剤の浸透を早めることが可能となる。
また、磁場透過プレート７を挟んでその両側に配置された熱伝導プレート４ａ，４ｂは、その下方に設けられているヒータ２０ａ，２０ｂからの熱を伝達して毛髪を加熱するように作用する。この加熱によってストレートパーマ時には毛髪を伸ばし、直線的なストレートヘアへ導くのである。また、前述の第１液や第２液といった薬剤の毛髪への浸透を促し、シスチン結合の還元・酸化反応を促進するように作用する。
【００３０】
以上述べたとおり、毛髪への振動の印加や加熱は薬剤の毛髪への浸透を促進するため、本実施例１のヘアーアイロン１を、第１液を用いて軟化処理させている段階や第１液を洗い流す前の段階、さらに第２液を用いてシスチン結合を促進させる段階において使用することで、薬剤を用いた毛髪内におけるシスチン結合の還元・酸化反応を促進して、薬剤を用いて行われる施術時間を短縮することが可能であり、この薬剤によって毛髪が受けるダメージを軽減することができるのである。
【００３１】
次に、磁場透過プレート７を透過させて、毛髪に印加されるマグネット１６からの磁力線の作用について説明する。
水分子は、２個の水素原子と１個の酸素原子から構成され、反磁性を示すことが知られている。水分子は、磁場中では、水分子中に発生する誘導磁場によってマグネットに反発する。また、電磁誘導における電流の向きは、レンツの法則に従って、磁場の変化を打ち消す方向に流れることになる。
さらに、水分子は、２個の水素原子が有しているＫ殻の１個ずつの電子と１個の酸素原子が有しているＬ殻の６個の電子のうち２個の電子を補って結合するいわゆる共有結合によって安定して存在している。しかしながら、この水分子の波動関数を調べてみると、水分子中の電子の分布は、均一ではなく、酸素原子の周囲で存在確率が高くなっており、逆に水素原子の周囲で低くなっていることが知られている。すなわち、水分子は共有結合によってできているものの、量子力学的には水素原子と酸素原子はわずかながらにイオンの性質を備えているといえる。分極している分子は、正負の電荷を備えた電気双極子として表現することができるのである。
このような電磁的性質を備えた水分子は、マグネット１６による磁場中では、印加される磁場によって反磁性を示すと共に、磁場の変化によって誘導される電場において、正電荷に対しては酸素原子側が引き寄せられ、負電荷に対しては水素原子側が引き寄せられるように作用する。
但し、これらの作用については、微弱とも考えられるものの、近年前述したようにネオジウムやサマリウム・コバルト、あるいはアルミニウム・ニッケル・コバルトを主材料とする強力な磁場を形成しうるマグネットが開発されており、大きな磁場が対向するアーム部２ａ，２ｂの間隙において印加された場合に何らかの影響を与える程度の作用を発揮しうるものと考えられる。
これらの作用によって、水分子の運動の活発化による第１液による還元反応や第２液による酸化反応の促進、あるいは、たとえば、マグネット１６による磁場の印加とそれに伴う誘導電流との相互作用によって、水分子の規則的な整列を促すことで、活性酸素の発生を阻止する可能性も考えられる。
【００３２】
以上のような作用によっても、本実施例１のヘアーアイロン１を、第１液を用いて軟化処理させている段階や第１液を洗い流す前の段階、さらに第２液を用いてシスチン結合を促進させる段階等において使用することで、毛髪への薬剤の浸透を図り、薬剤を塗布している時間の短縮化を図ることができ、毛髪へのダメージを防止しつつ、電磁的性質を利用しながら同様に薬剤の塗布時間の短縮と活性酸素の発生を防止することによって毛髪表面及び内部を保護することも可能と考えられる。
また、前述のとおり、本実施例のヘアーアイロン１においては、振動モータ９を用いてマグネット１６を振動させていることで、空間的のみならず、時間的にも磁力が変動しており、誘導電流の発生の促進と印加されている磁場との相互作用の促進にも効果があると考えられる。
さらに、本実施例１の大きな特徴として、マグネット１６からの磁力線を透過する磁場透過プレート７とヒータ２０ａ，２０ｂからの熱を伝導する熱伝導プレート４ａ，４ｂがアーム部２ａ，２ｂの対向する表面上に並列に配置されており、しかも、磁場透過プレート７と支持具２１は断熱性の高い材料で形成されているため、ヒータ２０ａ，２０ｂで発生した熱がマグネット１６に伝達し難いのみながらず、加熱するための部材（熱伝導プレート４ａ，４ｂ）と磁力を与える部材（磁場透過プレート７）を別個独立に機能させることが可能である。
従って、加熱のみ施したい箇所や磁力のみ施したい箇所に対して個別に素早く効果的に施術することが可能である。また、アーム部２ａ，２ｂを合わせて毛髪を挟持して毛髪の表面を滑らせることで、まずヒータ２０ａ，２０ｂと熱伝導プレート４ａ，４ｂによる加熱を施し、その後にマグネット１６と磁場透過プレート７による磁場印加を施すことができる。
【００３３】
また、図２，３に示すとおり、磁場透過プレート７と熱伝導プレート４ａ，４ｂを並列に設けたことで、ヒータ部とマグネット部を重ねて設けるよりも両方ともアーム部２ａ，２ｂの表面近くに効率的に効果を発揮できるように配置することができたのである。
以上のような振動と磁場の複合的な印加によれば、薬剤の効率的な浸透をはじめ、その還元反応・酸化反応を促すことができるので、施術の際の加熱を控えめ、具体的には、一般的な加熱温度が１６０〜１８０℃のところ、１００〜１５０℃まで低下させることが可能であり、加熱による毛髪のダメージを低減することが可能である。
【実施例２】
【００３４】
次に、本発明のヘアーアイロンに係る実施例２，３について図４（ａ），（ｂ）を参照しながら説明する。図４（ａ）は本発明の実施例２に係るヘアーアイロンのアーム部の断面図であり、（ｂ）は同じく実施例３に係るヘアーアイロンのアーム部の断面図である。いずれの図面にも一方のアーム部のみの断面を示すが、他方のアーム部も同様の構造となっている。
【００３５】
図４（ａ）において、図３に示す構成と同一部分については同一符号を付し、その構成の説明は省略する。実施例２では、磁場透過プレート７ａのアーム部２ｃの毛髪を挟む面からの高さを熱伝導プレート４ａ，４ｂのその高さよりも高くしたものである。このように上下一対のアーム部２ｃに対して熱伝導プレート４ａ，４ｂの高さよりも高い磁場透過プレート７ａを設けることで、一対のアーム部における熱伝導プレート４ａ，４ｂ間の距離を磁場透過プレート７ａ間の距離よりも長く調整することが可能であり、加熱を強くしないことが望ましい場合には好適であると考えられる。
【実施例３】
【００３６】
一方、図４（ｂ）を参照しながら本発明の実施例３に係るヘアーアイロンについて説明を追加する。図４（ｂ）においても図３に示す構成と同一部分については同一符号を付し、その構成の説明は省略する。実施例３では、実施例２とは逆に磁場透過プレート７ｂのアーム部２ｄの毛髪を挟む面からの高さを熱伝導プレート４ａ，４ｂのその高さよりも低くしたものである。このように上下一対のアーム部２ｄに対して熱伝導プレート４ａ，４ｂの高さよりも低い磁場透過プレート７ａを設けることで、一対のアーム部における熱伝導プレート４ａ，４ｂ間の距離を磁場透過プレート７ｂ間の距離よりも短く調整することが可能であり、磁場印加を強くしないことが望ましい場合には好適であると考えられる。
【実施例４】
【００３７】
次に、図５を参照しながら本発明の実施例４に係るヘアーアイロンについて説明する。図５は本発明の実施例４に係るヘアーアイロンの一対のアーム部の断面図である。図５において、図３、４に示す構成と同一部分については同一符号を付し、その構成の説明は省略する。実施例４では、実施例２に係るヘアーアイロンのアーム部と実施例３に係るヘアーアイロンのアーム部を一対で構成させるものである。
このように一対のアーム部において熱伝導プレート４ａ，４ｂを基準として、凸状の磁場透過プレート７ａと凹状の磁場透過プレート７ｂをそれぞれ設けることで、この磁場透過プレート７ａ，７ｂを嵌合させることができ、毛髪に対して磁場透過プレート７ａ，７ｂのみならず、熱伝導プレート４ａ，４ｂまでも密着させることができる。
従って、マグネット部を構成するマグネット１６及び磁場透過プレート７ａ，７ｂによる作用、ヒータ部を構成するヒータ２０ａ，２０ｂ及び熱伝導プレート４ａ，４ｂによる作用をより強く与えることができ、パーマに関する効果的な施術を実施することができる。
なお、本実施例においては、熱伝導プレート４ａ，４ｂの高さをそれぞれ一致させたものの、一対のアーム部２ａ，２ｂが毛髪を挟んだ際に嵌合するように形成されるものであれば、必ずしも一致させる必要はない。すなわち、アーム部２ａ，２ｂに設けられる熱伝導プレート４ａ，４ｂの高さは、それぞれ異なるようにしてもよく、アーム部２ａ，２ｂの熱伝導プレート４ａ，４ａの高さの和と、熱伝導プレート４ｂ，４ｂの高さの和が、磁場透過プレート７ａ，７ｂの高さの和に等しい場合には、毛髪をしっかり掴むことができる。
もちろん、そのようなケースに拘束されるものではなく、対向する熱伝導プレート４ａ，４ｂの高さを調整してよい。
【実施例５】
【００３８】
最後に図６を参照しながら本発明の実施例５に係るヘアーアイロンについて説明する。図６は本発明の実施例５に係るヘアーアイロンの一対のアーム部の断面図であり、本図においても図３に示す構成と同一部分については同一符号を付し、その構成の説明は省略する。
図６の実施例５のヘアーアイロンでは、アーム部２ｅの毛髪を挟む面に配置される磁場透過プレート７ｃと熱伝導プレート４ｃは並列にそれぞれ１個設けたものである。磁場透過プレート７ｃの下方にはマグネット１６が設置されており、熱伝導プレート４ｃの下方にもヒータ２０ｃが設置されている。本願発明においては、アーム部の面に並列に配置されるものであれば、磁場透過プレートと熱伝導プレートの数は特に限定するものではなく、本実施例５に示されるようにそれぞれ１個でもよい。
このように構成されるアーム部２ｅを備えたヘアーアイロンでは、これまでの実施例のようにヒータを両側に分割するよりもヒータ２０ｃの面積を大きくとることが可能であり、それに伴って熱伝導プレート４ｃの面積も大きくとることが可能である。もちろん、磁場透過プレート７ｃの面積との調整でもあるので、熱伝導プレート４ｃ及びヒータ２０ｃの面積は分割時と同様にしながら、磁場透過プレート７ｃとマグネット１６のマグネット部の面積を大きくして磁力線による効果を大きくすることも可能である。また、これまでの実施例と同様の作用及び効果を発揮することができる。
さらに、本実施例においては、磁場透過プレート７ｃのアーム部２ｅの表面からの高さを熱伝導プレート４ｃと同一高さとしているが、これまでの実施例と同様に高さをそれぞれ異なるものとしてもよいし、一対のアーム部の磁場透過プレートと熱伝導プレートの高さを凹凸として、毛髪を挟んだ際に一対の磁場透過プレートと熱伝導プレートが嵌合するように形成してもよい。
なお、上述の実施例１乃至実施例５では、ストッパ５の高さについては何ら説明しなかったが、このストッパ５の高さは、上述の実施例における状態を阻害しないような高さとして調整して設けられている。あるいは、熱伝導プレート４ａ，４ｂや磁場透過プレート７，７ａ，７ｂの強度が十分であるとともに、髪への影響が小さく髪とこれらの構成要素が密着しても問題がないと考えられる場合には、ストッパ５を省略してもよい。
また、上述の実施例１乃至実施例５では、振動モータ９やヒータ２０ａ，２０ｂの通電のためのスイッチについて説明していないが、これらは別個独立に入力されるようなスイッチであることが望ましい。操作モードとして、振動モータ９のみ入力したり、あるいはヒータ２０ａ，２０ｂのみを入力、さらにはヒータも実施例１乃至実施例４のように複数設置される場合には、それぞれが独立に入力されたりあるいは同時に入力されるように選択可能にしておくとよい。また、振動モータ９とヒータ２０ａ，２０ｂの操作モードを選択するためのスイッチと、通電させるためのスイッチを別個に設けてもよい。
スイッチの設置箇所は、アーム部２ａ，２ｂや回動軸部３の側面、あるいは通電させるためのスイッチの設置場所としてはストッパ５の位置も選択が可能である。この場合、アーム部２ａ，２ｂの開閉に応じて通電のＯＮ・ＯＦＦが可能であり、髪を挟んだ際に、自動的にヒータ２０ａ，２０ｂを発熱させたり、振動伝達プレート１２を介してマグネット１６を振動させたり、あるいはそれらを自動的に同時に動作させることも可能である。
【００３９】
以上、本願発明の実施例１乃至実施例５について説明したが、これらの実施例においては、マグネット部のマグネットは磁場透過プレートによって被覆され、ヒータ部のヒータは熱伝導プレートによって被覆されるように構成されていたが、磁場透過プレートや熱伝導プレートによる被覆なしで、アーム部の表面に露出させるようにしても断熱性や薬剤による腐食などの問題がなければ、マグネット部はマグネットのみ、ヒータ部はヒータのみという構成としてもよい。但し、その場合には、支持具２１の構造によってマグネットやヒータの固定を行う必要があり、支持具２１の形状をこれまでの図に示すものとは変更する必要があると考えられる。
【産業上の利用可能性】
【００４０】
以上説明したように、本発明の請求項１乃至請求項７に記載された発明は、ストレートパーマやウェーブパーマの施術に好適なヘアーアイロンであり、一般的なヘアーサロンや理美容関係の教育機関などで利用可能である。
【符号の説明】
【００４１】
１…ヘアーアイロン  ２ａ〜２ｅ…アーム部  ３…回動軸部  ４ａ〜４ｃ…熱伝導プレート  ５…ストッパ  ６…電源コード  ７，７ａ〜７ｃ…磁場透過プレート  ８…固定プレート  ９…振動モータ  １０…分銅  １１…回転軸  １２…振動伝達プレート  １３…モータ電源コード  １４ａ，１４ｂ…ヒータ電源コード  １６…マグネット  １７…振動緩衝部  １８…空隙  １９…空隙  ２０ａ〜２０ｃ…ヒータ  ２１…支持具
【図１】
2010240170.tif 000003
【図２】
2010240170.tif 000004
【図３】
2010240170.tif 000005
【図４】
2010240170.tif 000006
【図５】
2010240170.tif 000007
【図６】
2010240170.tif 000008